【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
Ｎチャンネル・オーディオ信号を符号化するマルチ・チャンネル・オーディオ符号器であって、
前記Ｎチャンネル・オーディオ信号用第１のＭチャンネル信号を生成する手段であって、Ｍは、Ｎより小さい前記手段と、
前記Ｎチャンネル・オーディオ信号に対して、前記第１のＭチャンネル信号用第１の補強データを生成する手段と、
前記Ｎチャンネル・オーディオ信号用第２のＭチャンネル信号を生成する手段と、
前記第１のＭチャンネル信号に対して、前記第２のＭチャンネル信号用第２の補強データを生成する補強手段と、
前記第２のＭチャンネル信号と、前記第１の補強データと、前記第２の補強データとを含む符号化出力信号を生成する手段と
を含み、
前記補強手段が、前記第２のＭチャンネル信号に対して、絶対補強データとしての前記第２の補強データの生成、または、相対補強データとして前記第２の補強データの生成とから動的に選択するように構成されるマルチ・チャンネル・オーディオ符号器。
【請求項２】
前記補強手段が、前記Ｎチャンネル信号の特性に応答して、前記絶対補強データと前記相対補強データとから選択するように構成される、請求項１に記載のマルチ・チャンネル・オーディオ符号器。
【請求項３】
前記補強手段が、前記絶対補強データと前記相対補強データの相対特性に応答して、前記絶対補強データと前記相対補強データとから選択するように構成される、請求項１に記載のマルチ・チャンネル・オーディオ符号器。
【請求項４】
前記相対特性が、前記相対補強データの信号エネルギーに対する前記絶対補強データの信号エネルギーである、請求項１に記載のマルチ・チャンネル・オーディオ符号器。
【請求項５】
前記補強手段が、前記第２のＭチャンネル信号を信号ブロックに分割し、かつ、各信号ブロックについて前記絶対補強データと前記相対補強データとから個々に選択するように構成される、請求項１に記載のマルチ・チャンネル・オーディオ符号器。
【請求項６】
前記補強手段が、信号ブロックに関連した特性にのみ基づいて、該信号ブロックについて、前記絶対補強データと前記相対補強データとから選択するように構成される、請求項５に記載のマルチ・チャンネル・オーディオ符号器。
【請求項７】
前記補強手段が、絶対補強データとしての前記補強データの生成と相対補強データとしての前記補強データの生成との切り替えの切り替え時間間隔中に、前記絶対補強データと前記相対補強データの組み合わせとして前記補強データを生成するように構成される、請求項１に記載のマルチ・チャンネル・オーディオ符号器。
【請求項８】
前記組み合わせが、前記絶対補強データと前記相対補強データとの間の補間を含む、請求項７に記載のマルチ・チャンネル・オーディオ符号器。
【請求項９】
前記符号化出力信号を生成する前記手段が、相対補強データ使用されるのかそれとも絶対補強データが使用されるのかを示すデータを含むように構成される、請求項１に記載のマルチ・チャンネル・オーディオ符号器。
【請求項１０】
前記第２の補強データが、補強データの第１の部分と補強データの第２の部分とを含み、前記第２の部分が、前記第１の部分より質の高い前記第１のＭチャンネル信号表現を行う、請求項１に記載のマルチ・チャンネル・オーディオ符号器。
【請求項１１】
前記補強手段が、絶対補強データとして、または相対補強データとして前記第２の部分の生成することのみを動的に選択するように構成される、請求項１０に記載のマルチ・チャンネル・オーディオ符号器。
【請求項１２】
前記補強手段が、前記第１の部分の補強データを前記第１のＭチャンネル信号に適用することによって生成された基準信号に対して、前記第２の部分の相対データを生成するように構成される、請求項１０に記載のマルチ・チャンネル・オーディオ符号器。
【請求項１３】
Ｎチャンネル・オーディオ信号を復号化するマルチ・チャンネル・オーディオ復号器であって、
前記Ｎチャンネル・オーディオ信号用第１のＭチャンネル信号であって、Ｍが、Ｎより小さい前記信号と、
前記第１のＭチャンネル信号と異なる第２のＭチャンネル信号に対するマルチ・チャンネル拡張用第１の補強データと、
前記第１のＭチャンネル信号に対する絶対補強データと相対補強データとを含む、前記第２のＭチャンネル信号に対する前記第１のＭチャンネル信号用第２の補強データと、
信号ブロックに関する前記第２の補強データが絶対補強データであるのかそれとも相対補強データであるのかを示す表示データと
を含む符号化オーディオ信号を受信する手段と、
前記第１のＭチャンネル信号と前記第２の補強データとに応答してＭチャンネル・マルチ・チャンネル拡張信号を生成する生成手段と、
前記Ｍチャンネル・マルチ・チャンネル拡張信号と、前記第１の補強データとに応答してＮチャンネル復号化信号を生成する手段と
を含み、
前記生成手段が、前記表示データに応答して、絶対補強データとしての前記第２の補強データの適用、または、相対補強データとしての前記第２の補強データの適用から選択するように構成されるマルチ・チャンネル・オーディオ復号器。
【請求項１４】
前記生成手段が、時間ドメインにおいて前記第２の補強データを前記第１のＭチャンネル信号に適用するように構成される、請求項１３に記載のマルチ・チャンネル・オーディオ復号器。
【請求項１５】
前記生成手段が、周波数ドメインにおいて前記第２の補強データを前記第１のＭチャンネル信号に適用するように構成される、請求項１３に記載のマルチ・チャンネル・オーディオ復号器。
【請求項１６】
前記第２の補強データが、補強データの第１の部分と補強データの第２の部分とを含み、前記第２の部分が、前記第１の部分より質の高い前記第１のＭチャンネル信号表現を行う、請求項１３に記載のマルチ・チャンネル・オーディオ復号器。
【請求項１７】
前記生成手段が、絶対補強データとしての前記第２の部分の第２の補強データの適用、または、相対補強データとしての前記第２の部分の第２の補強データの適用からのみ選択するように構成される、請求項１３に記載のマルチ・チャンネル・オーディオ復号器。
【請求項１８】
前記生成手段が、前記第１の部分の補強データを前記第１のＭチャンネル信号に適用することによって生成された信号に前記第２の部分の相対補強データを適用することによって前記Ｍチャンネル・マルチ・チャンネル拡張部を生成するように構成される、請求項１３に記載のマルチ・チャンネル・オーディオ復号器。
【請求項１９】
Ｎチャンネル・オーディオ信号を符号化する方法であって、
前記Ｎチャンネル・オーディオ信号用第１のＭチャンネル信号を生成するステップであって、ＭがＮより小さい前記ステップと、
前記Ｎチャンネル・オーディオ信号に対して前記第１のＭチャンネル信号用第１の補強データを生成するステップと、
前記Ｎチャンネル・オーディオ信号用第２のＭチャンネル信号を生成するステップと、
前記第１のＭチャンネル信号に対して前記第２のＭチャンネル信号用第２の補強データを生成するステップと、
前記第２のＭチャンネル信号と、前記第１の補強データと、前記第２の補強データとを含む符号化出力信号を生成するステップと
を含み、
前記第２の補強データの生成ステップが、前記第２のＭチャンネル信号に対して、絶対補強データとしての前記第２の補強データの生成、または、相対補強データとしての前記第２の補強データの生成から動的に選択するステップを含む方法。
【請求項２０】
Ｎチャンネル・オーディオ信号を復号化する方法であって、
前記Ｎチャンネル・オーディオ信号用第１のＭチャンネル信号であって、ＭがＮより小さい前記信号と、
前記第１のＭチャンネル信号と異なる第２のＭチャンネル信号に対するマルチ・チャンネル拡張用第１の補強データと、
前記第１のＭチャンネル信号に対する絶対補強データと相対補強データとを含む、前記第２のＭチャンネル信号に対する前記第１のＭチャンネル信号用第２の補強データと、
信号ブロックに関する前記第２の補強データが絶対補強データであるのかそれとも相対補強データであるのかを示す表示データと
を含む符号化オーディオ信号を受信するステップと、
前記第１のＭチャンネル信号と前記第２の補強データとに応答してＭチャンネル・マルチ・チャンネル拡張信号を生成するステップと、
前記Ｍチャンネル・マルチ・チャンネル拡張信号と、前記第１の補強データとに応答してＮチャンネル復号化信号を生成するステップと
を含み、
前記Ｍチャンネル・マルチ・チャンネル拡張信号の生成ステップが、前記表示データに応答して、絶対補強データとしての前記第２の補強データの適用、または、相対補強データとしての前記第２の補強データの適用から選択するステップを含む方法。
【請求項２１】
請求項１に記載のマルチ・チャンネル・オーディオ符号器を含む、符号化マルチ・チャンネル・オーディオ信号を送信する送信器。
【請求項２２】
請求項１３に記載のマルチ・チャンネル・オーディオ復号器を含む、マルチ・チャンネル・オーディオ信号を受信する受信器。
【請求項２３】
符号化マルチ・チャンネル・オーディオ信号を送信チャンネルを介して受信器に送信する送信器を含む送信システムであって、請求項１に記載のマルチ・チャンネル・オーディオ符号器と、請求項１３に記載のマルチ・チャンネル・オーディオ復号器を含む前記受信器を含む送信システム。
【請求項２４】
符号化マルチ・チャンネル・オーディオ信号を送信する方法であって、前記方法が、Ｎチャンネル・オーディオ信号を符号化するステップを含み、
前記符号化するステップが、
前記Ｎチャンネル・オーディオ信号用第１のＭチャンネル信号を生成するステップであって、ＭがＮより小さい前記ステップと、
前記Ｎチャンネル・オーディオ信号に対して前記第１のＭチャンネル信号用第１の補強データを生成するステップと、
前記Ｎチャンネル・オーディオ信号用第２のＭチャンネル信号を生成するステップと、
前記第１のＭチャンネル信号に対して前記第２のＭチャンネル信号用第２の補強データを生成するステップと、
前記第２のＭチャンネル信号と、前記第１の補強データと、前記第２の補強データとを含む、符号化出力信号を生成するステップと
を含み、
前記第２の補強データの生成ステップが、前記第２のＭチャンネル信号に対して、絶対補強データとしての前記第２の補強データの生成、または、相対補強データとしての前記第２の補強データの生成から動的に選択するステップを含む方法。
【請求項２５】
符号化マルチ・チャンネル・オーディオ信号を受信する方法であって、前記方法が、前記符号化マルチ・チャンネル・オーディオ信号を復号化するステップを含み、
前記復号化するステップが、
前記Ｎチャンネル・オーディオ信号用第１のＭチャンネル信号であって、ＭがＮより小さい前記信号と、
前記第１のＭチャンネル信号と異なる第２のＭチャンネル信号に対するマルチ・チャンネル拡張用第１の補強データと、
前記第１のＭチャンネル信号に対する絶対補強データと相対補強データとを含む、前記第２のＭチャンネル信号に対する前記第１のＭチャンネル信号用第２の補強データと、
信号ブロックに関する前記第２の補強データが絶対補強データであるのかそれとも相対補強データであるのかを示す表示データと
を含む前記符号化マルチ・チャンネル・オーディオ信号を受信するステップと、
前記第１のＭチャンネル信号と前記第２の補強データとに応答してＭチャンネル・マルチ・チャンネル拡張信号を生成する生成ステップと、
前記Ｍチャンネル・マルチ・チャンネル拡張信号と、前記第１の補強データとに応答してＮチャンネル復号化信号を生成するステップと
を含み、
前記Ｍチャンネル・マルチ・チャンネル拡張信号の生成ステップが、前記表示データに応答して、絶対補強データとしての前記第２の補強データの適用、または、相対補強データとしての前記第２の補強データの適用から選択するステップを含む方法。
【請求項２６】
オーディオ信号を送受信する方法であって、
前記方法が、Ｎチャンネル・オーディオ信号を符号化するステップを備え、
前記符号化するステップが、
前記Ｎチャンネル・オーディオ信号用第１のＭチャンネル信号を生成するステップであって、ＭがＮより小さい前記ステップと、
前記Ｎチャンネル・オーディオ信号に対して前記第１のＭチャンネル信号用第１の補強データを生成するステップと、
前記Ｎチャンネル・オーディオ信号用第２のＭチャンネル信号を生成するステップと、
前記第１のＭチャンネル信号に対して前記第２のＭチャンネル信号用第２の補強データを生成するステップであって、前記第２のＭチャンネル信号に対して、絶対補強データとしての前記第２の補強データの生成、または、相対補強データとしての前記第２の補強データの生成から動的に選択するステップを含む前記ステップと、
前記第２のＭチャンネル信号と、前記第１の補強データと、前記第２の補強データとを含む符号化出力信号を生成するステップと；
送信器から受信器に前記符号化出力信号を送信するステップと；
前記受信器にて前記符号化出力信号を受信するステップと；
前記第２のＭチャンネル信号と前記第２の補強データとに応答してＭチャンネル・マルチ・チャンネル拡張信号を生成するステップであって、絶対補強データとしての前記第２の補強データの適用、または、相対補強データとしての前記第２の補強データの適用から選択するステップを含む前記ステップと、
前記Ｍチャンネル・マルチ・チャンネル拡張信号と前記第１の補強データに応答してＮチャンネル復号化信号を生成するステップと
を含む、方法。
【請求項２７】
プロセッサに、請求項１９、請求項２０、請求項２４、請求項２５、および請求項２６の何れかに記載の方法のステップを実行させるように動作するコンピュータプログラム。
【請求項２８】
請求項１に記載のマルチ・チャンネル・オーディオ符号器を含むマルチ・チャンネルオーディオレコーダ。
【請求項２９】
請求項１３に記載のマルチ・チャンネル・オーディオ復号器を含むマルチ・チャンネルオーディオレコーダ。